(57)【特許請求の範囲】
【請求項１】
音声通信とデータ通信が可能な移動無線端末において、
音声通信の相手を識別する第１の識別情報と、データ通信の相手を識別する第２の識別情報とを対応づけて記憶する記憶手段と、
音声通信を終了した後に、送信データを生成するデータ生成手段と、
音声通信を終了した後に、所定の時間が経過するまでの間にユーザからデータ送信の要求があった場合に、前記記憶手段が記憶する情報に基づいて、音声通信を行った相手の第１の識別情報に対応する第２の識別情報を検出する検出手段と、
この検出手段が検出した第２の識別情報に対応する相手を、前記送信データの送信先として設定する設定手段とを具備することを特徴とする移動無線端末。
【請求項２】
音声通信とデータ通信が可能な移動無線端末において、
音声通信の相手を識別する第１の識別情報と、データ通信の相手を識別する第２の識別情報とを対応づけて記憶する記憶手段と、
データ通信を行った相手の第２の識別情報に対応する第１の識別情報を検出する検出手段と、
この検出手段が検出した第１の識別情報に対応する相手から音声通信を行うための着呼があると、これに応答する応答手段とを具備することを特徴とする移動無線端末。
【請求項３】
音声通信とデータ通信が可能な移動無線端末において、
音声通信の相手を識別する第１の識別情報と、データ通信の相手を識別する第２の識別情報とを対応づけて記憶する記憶手段と、
音声通信を行った後に、この音声通信の相手の第１の識別情報に対応づけられた第２の識別情報を送信元とするデータを受信した場合に、この受信したデータを再生する再生手段とを具備することを特徴とする移動無線端末。
【請求項４】
音声通信とデータ通信が可能な移動無線端末において、
音声通信の相手を識別する第１の識別情報と、データ通信の相手を識別する第２の識別情報とを対応づけて記憶する記憶手段と、
音声通信を行った後に、この音声通信の相手の第１の識別情報に対応づけられた第２の識別情報を送信元とするデータを受信した場合に、この受信したデータに含まれるプログラムを実行する実行手段とを具備することを特徴とする移動無線端末。
【請求項５】
音声通信とデータ通信とを並行して行うことが可能な移動無線端末において、
音声通信の相手を識別する第１の識別情報と、データ通信の相手を識別する第２の識別情報とを対応づけて記憶する記憶手段と、
音声通信の相手の第１の識別情報に対応づけられた第２の識別情報を送信元とするデータを受信した場合に、この受信したデータに含まれるプログラムを実行する実行手段とを具備することを特徴とする移動無線端末。
【発明の詳細な説明】
【０００１】
【発明の属する技術分野】
この発明は、ＰＨＳ（Personal Handyphone System）や携帯電話システムなどの移動通信システムで用いられる移動無線端末に関する。
【０００２】
【従来の技術】
周知のように、近時、ＰＨＳや携帯電話システムの移動無線端末は、音声による通信機能だけでなく、電子メールなどの文字メッセージの送受信機能を備えるようになった。
【０００３】
また、電子メールの送受信機能を備える移動無線端末にあっては、パーソナルコンピュータなどによる電子メールの送受信機能と同様に、テキストデータだけでなく、画像データやメロディデータについても送受信することができるものが一般的になりつつある。このような移動無線端末では、名前と電話番号、電子メールアドレスを対応づけて電話帳データとして記憶している。
【０００４】
ところで、このような機能を備える移動無線端末では、音声通話を行った直後に、先の通話の相手に、電子メールを送信することがよくある。そのためには、先の通話相手の名前に対応づけた電子メールアドレスを呼び出して、送信先として設定し、電子メールの作成や、送信データの選択を行い、送信する。
このような作業は、小さなテンキーや方向キーを用いて入力を行うため、手間がかかるだけでなく操作がしづらいという問題があった。
【０００５】
また、最近、複数の通信チャネルを用いることにより、音声通信とデータ通信を並行して行うことが可能な移動通信システムの開発が進められている。
【０００６】
このような移動通信システムで用いられる移動無線端末にあっても、データの送信先のアドレスを設定するのに手間がかかり、利便性に問題が生じることが考えられる。
【０００７】
【発明が解決しようとする課題】
従来の移動無線端末では、データ送信を行うのに、手間がかかり、利便性が低いという問題があった。
この発明は上記の問題を解決すべくなされたもので、データ送信時の手間を省いて、ユーザの負担を軽減し、利便性を向上させた移動無線端末を提供することを目的とする。
【０００９】
【課題を解決するための手段】
請求項１に係わる本発明は、音声通信とデータ通信が可能な移動無線端末において、音声通信の相手を識別する第１の識別情報と、データ通信の相手を識別する第２の識別情報とを対応づけて記憶する記憶手段と、音声通信を終了した後に、送信データを生成するデータ生成手段と、音声通信を終了した後に、所定の時間が経過するまでの間にユーザからデータ送信の要求があった場合に、記憶手段が記憶する情報に基づいて、音声通信を行った相手の第１の識別情報に対応する第２の識別情報を検出する検出手段と、この検出手段が検出した第２の識別情報に対応する相手を、送信データの送信先として設定する設定手段とを具備して構成するようにした。
【００１１】
上記構成の移動無線端末では、音声通信を行った後、送信データを生成し、ユーザからの要求に応じて上記送信データを編集し、そしてユーザからデータの送信要求があった場合、あるいは音声通信を行った後、所定の時間が経過するまでの間にユーザからデータの送信要求があった場合に、音声通信を行った相手の第１の識別情報に対応する第２の識別情報を記憶手段から検出し、この検出した第２の識別情報に対応する相手をデータの送信先として設定するようにしている。
【００１２】
したがって、上記構成の移動無線端末によれば、音声通信を行った後、データ送信の要求を行うと、音声通信を行った相手をデータの送信先として設定するので、ユーザは改めてデータ通信の相手を設定する手間が省け、これによりユーザの負担が軽減され、利便性を向上させることができる。
【００１６】
さらに上記の目的を達成するために、請求項３に係わる本発明は、音声通信とデータ通信が可能な移動無線端末において、音声通信の相手を識別する第１の識別情報と、データ通信の相手を識別する第２の識別情報とを対応づけて記憶する記憶手段と、データ通信を行った相手の第２の識別情報に対応する第１の識別情報を検出する検出手段と、この検出手段が検出した第１の識別情報に対応する相手から音声通信を行うための着呼があると、これに応答する応答手段とを具備して構成するようにした。
【００１７】
上記構成の移動無線端末では、データ通信を行った相手の第２の識別情報に対応する第１の識別情報を記憶手段から検出し、この検出した第１の識別情報に対応する相手から音声通信を行うための着呼があると、これに応答するようにしている。
【００１８】
したがって、上記構成の移動無線端末によれば、データ通信を行った後に、このデータ通信の相手から着呼があると応答するので、ユーザは着呼に応答する手間が省けてユーザの負担が軽減され、利便性を向上させることができる。
【００１９】
そして、上記の目的を達成するために請求項４に係わる本発明は、音声通信とデータ通信が可能な移動無線端末において、音声通信の相手を識別する第１の識別情報と、データ通信の相手を識別する第２の識別情報とを対応づけて記憶する記憶手段と、音声通信を行った後に、この音声通信の相手の第１の識別情報に対応づけられた第２の識別情報を送信元とするデータを受信した場合に、この受信したデータを再生する再生手段とを具備して構成するようにした。
【００２３】
さらに、上記の目的を達成するために請求項４に係わる本発明は、音声通信とデータ通信が可能な移動無線端末において、音声通信の相手を識別する第１の識別情報と、データ通信の相手を識別する第２の識別情報とを対応づけて記憶する記憶手段と、音声通信を行った後に、この音声通信の相手の第１の識別情報に対応づけられた第２の識別情報を送信元とするデータを受信した場合に、この受信したデータに含まれるプログラムを実行する実行手段とを具備して構成するようにした。
【００２４】
さらにまた、請求項５に係わる本発明は、音声通信とデータ通信とを並行して行うことが可能な移動無線端末において、音声通信の相手を識別する第１の識別情報と、データ通信の相手を識別する第２の識別情報とを対応づけて記憶する記憶手段と、音声通信の相手の第１の識別情報に対応づけられた第２の識別情報を送信元とするデータを受信した場合に、この受信したデータに含まれるプログラムを実行する実行手段とを具備して構成するようにした。
【００２５】
上記構成の移動無線端末では、音声通信を行った後に、この音声通信の相手を送信元とするプログラムを受信した場合に、この受信したプログラムを実行するようにしている。
【００２６】
したがって、上記構成の移動無線端末によれば、音声通信後に、同じ相手からプログラムを受信した場合には、この受信したプログラムを自動的に実行するので、実行を指示する手間が省けてユーザの負担が軽減され、利便性を向上させることができる。
【００２７】
【発明の実施の形態】
以下、図面を参照して、この発明の一実施形態に係わる移動無線端末について説明する。図１は、その構成を示すもので、ここでは、ＣＤＭＡ方式を通信方式とする移動無線端末を例に挙げている。
【００２８】
空間からアンテナ１で受信された無線周波信号は、アンテナ共用器２に入力される。アンテナ共用器２は、受信用フィルタ２１と送信用フィルタ２２とからなる。
【００２９】
アンテナ１より入力された無線周波信号のうち、移動通信システムの基地局ＢＳから送信された無線周波信号は、受信用フィルタ２１を通過して、受信部（ＲＸ）３に出力される。なお、この無線周波信号は送信用フィルタ２２により、後述の送信部５に入力されることはない。
【００３０】
受信部３では、上記無線周波信号を周波数シンセサイザ（ＳＹＮ）４から入力された受信局部発振信号とミキシングして中間周波信号に周波数変換する。なお、上記周波数シンセサイザ４にて発生される受信局部発振信号の周波数は、制御部４０からの制御電圧によって制御される。
【００３１】
受信部３にて得られた中間周波信号は、ＣＤＭＡ信号処理部６において、直交復調処理が施されたのち、逆拡散処理が施されて、データレートに応じた所定のフォーマットのデータに変換される。
【００３２】
そしてこの変換結果のうち、音声通信に関わる受信データは音声符号処理部７に出力され、また上記変換結果のうち、電子メールや画像データなどをはじめとする種々のデータ通信用のデータついては、制御部４０に出力される。そしてまた、データレートを示すデータについても制御部４０に出力される。
【００３３】
音声符号処理部７は、上記ＣＤＭＡ信号処理部６にて得られた受信データに対して、制御部４０から通知される受信データレートに応じた伸長処理を施し、この処理結果をＰＣＭ符号処理部８に出力する。
【００３４】
ＰＣＭ符号処理部８は、音声符号処理部７にて伸張された受信データを復号してアナログ受話信号を得る。このアナログ受話信号は、増幅器９にて増幅された後スピーカ１０より拡声出力される。
【００３５】
一方、話者の入力音声は、マイクロホン１１を通じてアナログ送話信号として入力され、増幅器１２で適正レベルまで増幅された後、ＰＣＭ符号処理部８にてＰＣＭ符号化処理が施され、送信データとして音声符号処理部７に出力される。
【００３６】
音声符号処理部７は、ＰＣＭ符号処理部８から出力される送信データより入力音声のエネルギー量を検出し、この検出結果に基づいてデータレートを決定し、制御部４０に通知する。そして、上記送信データを上記データレートに応じたフォーマットのバースト信号に圧縮し、ＣＤＭＡ信号処理部６に出力する。
【００３７】
ＣＤＭＡ信号処理部６は、上記音声符号処理部７にて圧縮されたバースト信号や、制御部４０から入力される、データ通信用のデータに基づくバースト信号に対して、送信チャネルに応じたＰＮ符号を用いて拡散処理を施す。そしてこの処理結果に対して、直交変調処理を施し、直交変調信号として送信部（ＴＸ）５に出力する。
【００３８】
送信部５は、上記直交変調信号を送信局部発振信号と合成して無線周波信号に変換し、制御部４０により通知される送信データレートに基づいて、上記無線周波信号の有効部分だけを高周波増幅して、アンテナ共用器２に出力する。なお上記送信局部発振信号は、周波数シンセサイザ４にて生成されるもので、制御部４０からの制御電圧に応じた周波数の発振信号である。
【００３９】
アンテナ共用器２に入力された送信部５からの無線周波信号は、送信用フィルタ２２により、送信帯域の無線周波信号のみがアンテナ１に出力されて、上記基地局に向けて空間に放射される。尚、この送信帯域の無線周波信号は、受信用フィルタ２１により、受信部３に入力されることはない。
【００４０】
３１は電源回路であり、バッテリ３０の出力を基に所定の動作電源電圧Ｖccを生成して各回路に供給する。
【００４１】
制御部４０は、例えばマイクロコンピュータを主制御部として備え、各部を統括して制御している。その主たる制御内容としては、基地局ＢＳとの間にＣＤＭＡ方式の無線通信による通信リンクを開設し、基地局ＢＳが収容される移動通信網を通じて音声通信やデータ通信を選択的に行う、あるいは同時に行なう通信制御機能や、ソフトハンドオーバを含む、接続する基地局の切り替えるハンドオーバ制御がある。
【００４２】
また、データ通信の受信処理として、制御部４０は、ＣＤＭＡ信号処理部６にて得た受信データを復号して、元も画像データやテキストデータに復元し、記憶部５０に記録したり、後述するコンソールユニット６０の表示器に表示する。
【００４３】
また電子メールの作成時において、制御部４０は、コンソールユニット６０のキー操作により、ユーザから文字入力や宛先の指定を受け付けて、電子メールを作成し記憶部５０に記録する。
【００４４】
そして、データ通信の送信処理として、制御部４０は、記憶部５０が記憶するデータを読み出し、このデータを所定のデータレートに応じたフォーマットのバースト信号に圧縮して、ＣＤＭＡ信号処理部６に出力する。
【００４５】
また、制御部４０は、音声通信の着呼時や電子メールの受信時においては、これを報知するために、音を発する発音体７１、光を発する発光体７２、偏心モータなどにより振動を発生する振動体７３を選択的に制御して動作させる。
【００４６】
さらに、制御部４０は、その他、時刻を司る機能や、後述する電話帳データを編集する機能を備える他に、新たな機能として、自動データ送信制御手段４０ａと、自動発着呼制御手段４０ｂと、自動データ受信制御手段４０ｃとを備える。
【００４７】
自動データ送信制御手段４０ａは、通話（音声通信）中や通話後において、これらの通話相手を送信先としてデータ送信を行う制御機能を備えるものである。
自動発着呼制御手段４０ｂは、データの送受信後において、この送信先や送信元を発呼先とする発呼を行ったり、上記送信先や送信元を発呼元とする着呼に応答する制御機能を備えるものである。
【００４８】
自動データ受信制御手段４０ｃは、通話中や通話後において、この通話相手から受信したデータを、データの種別に応じて再生出力したり、プログラムであれば実行させる制御機能を備えるものである。
【００４９】
その他、制御部４０は、記憶部５０に記憶されるアプリケーションプログラムを、ユーザの要求や自動データ受信制御手段４０ｃの制御により、選択的に自己のＲＡＭに読み出して実行し、種々の機能を発揮することができる。
【００５０】
記憶部５０は、例えばＲＯＭやＲＡＭなどの半導体メモリを記憶媒体としたもので、この記憶媒体には制御部４０の制御プログラムや制御データ、電子メールや画像データ、メロディデータ、アプリケーションプログラム、図２に示すような名称および電話番号、電子メールアドレスを対応づけた電話帳データ、図３に示すような最後に通話した相手の電話番号と通話終了時刻を対応づけた通話履歴データ、図４に示すような最後にデータ通信した相手の電子メールアドレスと通信終了時刻を対応づけた通信履歴データなどを記憶するものである。
【００５１】
なお、通話履歴データは、制御部４０によって更新制御され、通話中においては、通話相手の電話番号のみが記録される。同様に、通信履歴データは、制御部４０によって更新制御され、通信中においては、通信相手の電子メールアドレスのみが記録される。
【００５２】
コンソールユニット６０にはダイヤルキー、発信キー、電源キー、終了キー、音量調節キーおよびモード指定キーなどのキー群と、通話相手端末の電話番号や装置の動作状態などを表示するためのＬＣＤ表示器、メロディを拡声出力できるスピーカと、バッテリ３０のDischarge状態を示す（バッテリ３０の充電を要求する）ＬＥＤランプが設けられている。
【００５３】
次に、上記構成の移動無線端末装置の動作について説明する。
なお、以下の説明では、この発明に関わる、通話中や通話後におけるデータ送受信の制御や、データ通信後の通話制御について説明する。
【００５４】
まず、通話後にデータ送信を行う場合の動作について説明する。図５は、この動作時の処理を示すフローチャートで、この処理は自動データ送信制御手段４０ａによってなされる。この処理は、コンソールユニット６０を通じてユーザから送信データの作成要求を受け付けると開始される。
【００５５】
ステップ５ａでは、電子メールの本文の作成処理や、電子メールに添付する画像データやメロディデータの指定を受け付ける処理など、コンソールユニット６０を通じたユーザからの要求に応じて、送信データを作成する処理を実施して、送信データを作成し、この作成した送信データを記憶部５０内の所定のエリアに格納し、ステップ５ｂに移行する。
【００５６】
ステップ５ｂでは、コンソールユニット６０を通じてユーザから、ステップ５ａにて作成した送信データの送信要求が生じたか否かを判定する。ここで、ユーザから送信要求を受け付けた場合には、ステップ５ｄに移行し、一方、送信要求を受け付けなかった場合には、ステップ５ｃに移行する。
【００５７】
ステップ５ｃでは、コンソールユニット６０を通じてユーザから、ステップ５ａにて作成した送信データを再編集する要求が生じたか否かを判定する。ここで、ユーザから再編集の要求を受け付けた場合には、ステップ５ａに移行し、一方、再編集の要求を受け付けなかった場合には、ステップ５ｂに移行する。
【００５８】
一方、ステップ５ｄでは、図３に示した通話履歴データを参照して、最後の通話から所定の時間が経過しているか否かを判定する。ここで、所定の時間が経過している場合には、ステップ５ｆに移行し、一方、所定の時間が経過していない場合には、ステップ５ｅに移行する。
【００５９】
ステップ５ｅでは、図３に示した通話履歴データに記憶される電話番号に対応する電子メールアドレスを、図２に示した電話帳データから検出し、ステップ５ｇに移行する。
【００６０】
一方、ステップ５ｆでは、データの送信先の電子メールアドレスを、ユーザからコンソールユニット６０を通じて受け付け、ステップ５ｇに移行する。
ステップ５ｇでは、ステップ５ｅで検出した電子メールアドレス、あるいはステップ５ｆで受け付けた電子メールアドレスを送信先として設定し、ステップ５ａで作成した送信データを送信して当該処理を終了する。
【００６１】
次に、通話中にデータの送信要求がなされた場合の動作について説明する。図６は、この動作時の処理を示すフローチャートで、この処理は自動データ送信制御手段４０ａによってなされる。
【００６２】
この処理は、通話中に、コンソールユニット６０を通じてユーザからデータの送信要求がなされ、現在の通話と並行してデータ通信を行うか否かの指定を受け付けると開始される。
【００６３】
まずステップ６ａにて、電子メールの本文の作成処理や、電子メールに添付する画像データやメロディデータの指定を受け付ける処理など、コンソールユニット６０を通じたユーザからの要求に応じて、送信データを作成する処理を実施して、送信データを作成し、この作成した送信データを記憶部５０内の所定のエリアに格納し、ステップ６ｂに移行する。
【００６４】
ステップ６ｂでは、コンソールユニット６０を通じてユーザから、ステップ６ａにて作成した送信データの送信を許可する指示が生じたか否かを判定する。ここで、ユーザから送信の許可指示を受け付けた場合には、ステップ６ｄに移行し、一方、送信許可の指示を受け付けなかった場合には、ステップ６ｃに移行する。
【００６５】
ステップ６ｃでは、コンソールユニット６０を通じてユーザから、ステップ６ａにて作成した送信データを再編集する要求が生じたか否かを判定する。ここで、ユーザから再編集の要求を受け付けた場合には、ステップ６ａに移行し、一方、再編集の要求を受け付けなかった場合には、ステップ６ｂに移行する。
【００６６】
ステップ６ｄでは、図３に示した通話履歴データに記憶される電話番号に対応する電子メールアドレスを、図２に示した電話帳データから検出し、ステップ６ｅに移行する。
【００６７】
ステップ６ｅでは、この処理の開始に当たって、データの送信を現在行っている通話と並行して行う指示を受けたか否かを判定する。ここで、現在行っている通話と並行して行う指示を受けた場合には、ステップ６ｈに移行し、一方、現在行っている通話と並行して行わない指示を受けた場合には、ステップ６ｆに移行する。
【００６８】
ステップ６ｆでは、現在行っている通話が終了するのを待機し、通話が終了するとステップ６ｇに移行する。
ステップ６ｇでは、ステップ６ｄで検出した電子メールアドレスを送信先として設定し、ステップ６ａで作成した送信データを送信して当該処理を終了する。
【００６９】
一方、ステップ６ｈでは、現在行っている通話で用いているチャネルとは別に、データ通信用のチャネルを基地局ＢＳとの間に確立し、ステップ６ｉに移行する。
【００７０】
ステップ６ｉでは、ステップ６ｈにて確立した通信チャネルを通じて、ステップ６ｄで検出した電子メールアドレスを送信先として設定し、ステップ６ａで作成した送信データを送信して当該処理を終了する。
【００７１】
次に、データ通信後に発呼を行う要求がなされた場合の動作について説明する。図７は、この動作時の処理を示すフローチャートで、この処理は自動発着呼制御手段４０ｂによってなされる。
この処理は、待受状態から、コンソールユニット６０を通じてユーザから、データ通信後に発呼を行う要求がなされると開始される。
【００７２】
まずステップ７ａでは、コンソールユニット６０を通じて、名称などの入力を受け付けて、通信相手の指定を受け付け、ステップ７ｂに移行する。
ステップ７ｂでは、電子メールの本文の作成処理や、電子メールに添付する画像データやメロディデータの指定を受け付ける処理など、コンソールユニット６０を通じたユーザからの要求に応じて、送信データを作成する処理を実施して、送信データを作成し、この作成した送信データを記憶部５０内の所定のエリアに格納し、ステップ７ｃに移行する。
【００７３】
ステップ７ｃでは、コンソールユニット６０を通じてユーザから、ステップ７ｂにて作成した送信データの送信要求を受け付けたか否かを判定する。ここで、ユーザから送信要求を受け付けた場合には、ステップ７ｅに移行し、一方、送信要求を受け付けなかった場合には、ステップ７ｄに移行する。
【００７４】
ステップ７ｄでは、コンソールユニット６０を通じてユーザから、ステップ７ｂにて作成した送信データを再編集する要求が生じたか否かを判定する。ここで、ユーザから再編集の要求を受け付けた場合には、ステップ７ｂに移行し、一方、再編集の要求を受け付けなかった場合には、ステップ７ｃに移行する。
【００７５】
ステップ７ｅでは、ステップ７ａで受け付けた情報に基づいて、図２に示した電話帳データを参照し、通信相手の電子メールアドレスを検出し、ステップ７ｆに移行する。
【００７６】
ステップ７ｆでは、ステップ７ｅで検出した電子メールアドレスを送信先として設定し、ステップ７ｂで作成した送信データを送信する。送信が終了すると、ステップ７ｇに移行する。
【００７７】
ステップ７ｇでは、ステップ７ａで受け付けた情報に基づいて、図２に示した電話帳データを参照し、通信相手の電話番号を検出し、ステップ７ｈに移行する。
ステップ７ｈでは、ステップ７ｇで検出した電話番号に発呼し、当該処理を終了する。
【００７８】
次に、データ通信後に着呼が生じた場合の動作について説明する。図７は、この動作時の処理を示すフローチャートで、この処理は自動発着呼制御手段４０ｂによってなされる。この処理は、データ通信が終了すると開始される。
【００７９】
まずステップ８ａでは、図４に示した通信履歴データを参照し、このデータに記録される通信終了時刻から、所定の時間が経過したか否かを判定する。ここで、所定の時間が経過した場合には、当該処理を終了し、一方、経過していない場合には、ステップ８ｂに移行する。
【００８０】
ステップ８ｂでは、着呼が発生したか否かを判定する。ここで、着呼が発生した場合には、ステップ８ｃに移行し、一方、着呼が発生しない場合には、ステップ８ａに移行する。
【００８１】
ステップ８ｃでは、発番号通知により通知される電話番号と、図４に示した通信履歴データの電子メールアドレスとが対応づけられて、図２に示した電話帳データに記録されているか否かを判定する。ここで、対応づけられている場合には、ステップ８ｄに移行し、一方、対応づけられていない場合には、ステップ８ａに移行する。
ステップ８ｄでは、発生した着呼に応答して、通信リンクを開設し、ステップ８ａに移行する。
【００８２】
次に、通話中に、別のチャネルを通じてデータの受信を行った場合の動作について説明する。図９は、この動作時の処理を示すフローチャートで、この処理は自動データ受信制御手段４０ｃによってなされる。この処理は、通話が開始されると行われる。
【００８３】
まずステップ９ａでは、通話が終了したか否かを判定する。ここで、通話が終了した場合には、当該処理を終了し、一方、通話が行われている場合には、ステップ９ｂに移行する。
【００８４】
ステップ９ｂでは、基地局ＢＳからデータ受信要求の到来を待機する。ここで、基地局ＢＳからデータの受信要求が生じた場合には、ステップ９ｃに移行し、一方、上記受信要求が生じない場合には、ステップ９ａに移行する。
【００８５】
ステップ９ｃでは、基地局ＢＳを通じてデータの受信を行い、記憶部５０の所定のエリアに記録し、ステップ９ｄに移行する。この際、制御部４０は、ここで受信したデータの送信元の電子メールアドレスを、現在の時刻に対応づけて、図４に示した通信履歴データに記録する。
【００８６】
ステップ９ｄでは、ステップ９ｃにて記録した電子メールアドレスと、図３に示した通話履歴データに記録される、通話中の相手の電話番号が、図２に示した電話帳データに対応づけて記録されているか否かを判定する。ここで、対応づけて記録されている場合には、ステップ９ｅに移行し、一方、対応づけて記録されていない場合には、ステップ９ａに移行する。
【００８７】
ステップ９ｅでは、ステップ９ｃにて受信したデータを読み出して、コンソールユニット６０を通じて再生出力し、ステップ９ａに移行する。
なお、この再生出力とは、受信した電子メールの本文や画像データをコンソールユニット６０の表示器に表示したり、受信したメロディデータを、スピーカを通じて拡声出力することである。また、受信したデータがアプリケーションプログラムである場合には、これを実行する。
【００８８】
次に、通話が終了した後の所定時間内に、データの受信を行った場合の動作について説明する。図１０は、この動作時の処理を示すフローチャートで、この処理は自動データ受信制御手段４０ｃによってなされる。この処理は、通話が終了すると開始される。
【００８９】
まずステップ１０ａでは、図３に示した通話履歴データを参照し、このデータに記録される通話終了時刻から、所定の時間が経過したか否かを判定する。ここで、所定の時間が経過した場合には、当該処理を終了し、一方、経過していない場合には、ステップ１０ｂに移行する。
【００９０】
ステップ１０ｂでは、基地局ＢＳからデータ受信要求の到来を待機する。ここで、基地局ＢＳからデータの受信要求が生じた場合には、ステップ１０ｃに移行し、一方、上記受信要求が生じない場合には、ステップ１０ａに移行する。
【００９１】
ステップ１０ｃでは、基地局ＢＳを通じてデータの受信を行い、記憶部５０の所定のエリアに記録し、ステップ１０ｄに移行する。この際、制御部４０は、ここで受信したデータの送信元の電子メールアドレスを、現在の時刻に対応づけて、図４に示した通信履歴データに記録する。
【００９２】
ステップ１０ｄでは、ステップ１０ｃにて記録した電子メールアドレスと、図３に示した通話履歴データに記録される電話番号が、図２に示した電話帳データに対応づけて記録されているか否かを判定する。ここで、対応づけて記録されている場合には、ステップ１０ｅに移行し、一方、対応づけて記録されていない場合には、ステップ１０ａに移行する。
【００９３】
ステップ１０ｅでは、ステップ１０ｃにて受信したデータを読み出して、コンソールユニット６０を通じて再生出力し、ステップ１０ａに移行する。なお、この再生出力とは、受信した電子メールの本文や画像データをコンソールユニット６０の表示器に表示したり、受信したメロディデータを、スピーカを通じて拡声出力することである。また、受信したデータがアプリケーションプログラムである場合には、これを実行する。
【００９４】
以上のように、上記構成の移動無線端末では、図５に示した自動データ送信制御手段４０ａの制御により、通話が終わった後の所定時間内にデータの送信を行おうとすると、データの送信先が自動的に、先の通話相手に設定されるため、ユーザは送信先の指定を行う手間が省け、ユーザの負担を軽減することができる。
【００９５】
また、上記構成の移動無線端末では、図６に示した自動データ送信制御手段４０ａの制御により、通話中にデータの送信要求を行うと、作成した送信データの送信先を、通話相手に自動的に設定して、この通話中あるいは通話後にデータ送信するので、ユーザは、信先の指定を行う手間が省け、ユーザの負担を軽減することができる。
【００９６】
さらに、上記構成の移動無線端末では、図７に示した自動発着呼制御手段４０ｂの制御により、データの送信を行った後に、自動的にこのデータの送信先を発呼先とする発呼を行うようにしているので、データ送信後の電話をかけるような場合には、データの送信先に対応する電話番号を調べなくても発呼でき、ユーザの負担を軽減することができる。
【００９７】
そして、上記構成の移動無線端末では、図８に示した自動発着呼制御手段４０ｂの制御により、データ通信を行った後に、このデータ通信の相手から着呼があると、自動的に応答するようにしているので、データ送信後に相手が電話をかけるような場合に、ユーザは応答操作を行わなくても音声通信を開始でき、ユーザの負担を軽減することができる。
【００９８】
そしてまた、上記構成の移動無線端末では、図９に示した自動データ受信制御手段４０ｃの制御により、通話中に別チャネルを通じてデータを受信した際に、このデータの送信元と、通話中の相手が一致する場合には、受信したデータを自動的に再生する処理を実行するようにしているので、通話相手と通話しながらデータを受信する場合に、受信したデータを再生する操作を行う手間が省け、ユーザの負担を軽減することができる。
【００９９】
さらにまた、上記構成の移動無線端末では、図１０に示した自動データ受信制御手段４０ｃの制御により、通話後の所定時間内にデータを受信した際に、このデータの送信元と、最後に通話した相手が一致する場合には、受信したデータを自動的に再生する処理を実行するようにしているので、通話直後に送られがちな先の通話相手から受信したデータを、再生する操作を行う手間が省け、ユーザの負担を軽減することができる。
【０１００】
尚、この発明は上記実施の形態に限定されるものではない。
例えば、上記実施の形態では、自動データ受信制御手段４０ｃにより、受信したデータの再生したり、受信したプログラムを実行するようにしたが、インターネットを介した通信を行う機能と、ブラウザ機能を備える場合には、受信したＵＲＬ（Uniform Resource Locator）に基づいて、種々の情報を自動的に閲覧したり、ブックマーク登録を自動的に行うようにしてもよい。
その他、この発明の要旨を逸脱しない範囲で種々の変形を施しても同様に実施可能であることはいうまでもない。
【０１０１】
【発明の効果】
以上述べたように、この発明では、音声通信中あるいは音声通信を行った相手の第１の識別情報に対応する第２の識別情報を記憶手段から検出し、この検出した第２の識別情報に対応する相手をデータの送信先として設定するようにしている。
【０１０２】
したがって、この発明によれば、音声通信を行うと、この音声通信の相手をデータの送信先として設定するので、ユーザは改めてデータ通信の相手を設定する手間が省けるので、ユーザの負担が軽減され、利便性を向上させることが可能な移動無線端末を提供できる。
【０１０３】
また、この発明では、データ通信を行った相手の第２の識別情報に対応する第１の識別情報を記憶手段から検出し、この検出した第１の識別情報に対応する相手を音声通信の相手として設定するようにしている。
【０１０４】
したがって、この発明によれば、データ通信を行うと、このデータ通信の相手を音声通信の相手として設定するので、ユーザは改めて音声通信の相手を設定する手間が省けるので、ユーザの負担が軽減され、利便性を向上させることが可能な移動無線端末を提供できる。
【０１０５】
さらに、この発明では、データ通信を行った相手の第２の識別情報に対応する第１の識別情報を記憶手段から検出し、この検出した第１の識別情報に対応する相手から音声通信を行うための着呼があると、これに応答するようにしている。
【０１０６】
したがって、この発明によれば、データ通信を行った後に、このデータ通信の相手から着呼があると応答するので、ユーザは着呼に応答する手間が省けてユーザの負担が軽減され、利便性を向上させることが可能な移動無線端末を提供できる。
【０１０７】
そして、この発明では、音声通信を行った後に、この音声通信の相手を送信元とするデータを受信した場合に、この受信したデータを再生するようにしている。
【０１０８】
したがって、この発明によれば、音声通信後に、同じ相手からデータを受信した場合には、この受信したデータを自動的に再生するので、再生を指示する手間が省けてユーザの負担が軽減され、利便性を向上させることが可能な移動無線端末を提供できる。
【０１０９】
さらに、この発明では、音声通信を行った後に、この音声通信の相手を送信元とするプログラムを受信した場合に、この受信したプログラムを実行するようにしている。
【０１１０】
したがって、この発明によれば、音声通信後に、同じ相手からプログラムを受信した場合には、この受信したプログラムを自動的に実行するので、実行を指示する手間が省けてユーザの負担が軽減され、利便性を向上させることが可能な移動無線端末を提供できる。
【図面の簡単な説明】
【図１】この発明に係わる移動無線端末の一実施形態の構成を示す回路ブロック図。
【図２】図１に示した移動無線端末の記憶部に記憶される電話帳データを示す図。
【図３】図１に示した移動無線端末の記憶部に記憶される通話履歴データを示す図。
【図４】図１に示した移動無線端末の記憶部に記憶される通信履歴データを示す図。
【図５】図１に示した移動無線端末の自動データ送信制御手段によってなされる制御を説明するためのフローチャート。
【図６】図１に示した移動無線端末の自動データ送信制御手段によってなされる制御を説明するためのフローチャート。
【図７】図１に示した移動無線端末の自動発着呼制御手段によってなされる制御を説明するためのフローチャート。
【図８】図１に示した移動無線端末の自動発着呼制御手段によってなされる制御を説明するためのフローチャート。
【図９】図１に示した移動無線端末の自動データ受信制御手段によってなされる制御を説明するためのフローチャート。
【図１０】図１に示した移動無線端末の自動データ受信制御手段によってなされる制御を説明するためのフローチャート。
【符号の説明】
１…アンテナ
２…アンテナ共用器
２１…受信用フィルタ
２２…送信用フィルタ
３…受信部（ＲＸ）
４…周波数シンセサイザ（ＳＹＮ）
５…送信部（ＴＸ）
６…ＣＤＭＡ信号処理部
７…音声符号処理部
８…ＰＣＭ符号処理部
９…増幅器
１０…スピーカ
１１…マイクロホン
１２…増幅器
３０…バッテリ
３１…電源回路
４０…制御部
４１…自動データ送信制御手段
４２…自動発着呼制御手段
４３…自動データ受信制御手段
５０…記憶部
６０…コンソールユニット（ＣＵ）
７１…発音体
７２…発光体
７３…振動体
【図１】
0004674003.tif 000002
【図２】
0004674003.tif 000003
【図３】
0004674003.tif 000004
【図４】
0004674003.tif 000005
【図５】
0004674003.tif 000006
【図６】
0004674003.tif 000007
【図７】
0004674003.tif 000008
【図８】
0004674003.tif 000009
【図９】
0004674003.tif 000010
【図１０】
0004674003.tif 000011